(57)【要約】【課題】容器構造の複雑化を招くことなしに計量スプーンを簡便かつ安定的に容器本体に保持することができ、しかも、容量の異なる二以上の計量スプーンの取り付けを可能とする計量スプーン付き粉体用容器を提案する。【解決手段】底壁部１ａを有しこの底壁部１ａの縁部において起立する周壁１ｂにてその内側に粉体の収納空間Ｍを形成する容器本体１と、前記周壁１ｂの上部開放端に着脱自在に合わさって前記収納空間Ｍを密封状態に保持する蓋体２と、前記収納空間Ｍ内の粉体の計量に供する計量スプーン４とを備えた粉体用容器において、前記周壁１ｂの上部開放端近傍域の内周壁部に、前記計量スプーン４の少なくとも先端部及び後端部にそれぞれ着脱自在に嵌合して該計量スプーン４を前記収納空間Ｍの上部において支持する受け部５を設ける。【選択図】図３
2014091528.tif 000002
【特許請求の範囲】
【請求項１】
底壁部を有しこの底壁部の縁部において起立する周壁にてその内側に粉体の収納空間を形成する容器本体と、前記周壁の上部開放端に着脱自在に合わさって前記収納空間を密封状態に保持する蓋体と、前記収納空間内の粉体の計量に供する計量スプーンとを備えた粉体用容器であって、
前記周壁の上部開放端近傍域の内側壁部に、前記計量スプーンの少なくとも先端部及び後端部にそれぞれ着脱自在に嵌合して該計量スプーンを前記収納空間の上部において支持する受け部を設けたことを特徴とする計量スプーン付き粉体用容器。
【請求項２】
前記受け部は、収納空間を跨ぐ対向位置にそれぞれ設けられた二つで一組になる凹部にて形成されたものであり、該凹部は、相互間距離が変更され、容量の異なる少なくとも二種の計量スプーンの支持を可能とする複数組の段下がりの多段配列になることを特徴とする請求項１に記載した計量スプーン付き粉体用容器。
【請求項３】
前記蓋体は、その下側面に、少なくとも二方向に向けてそれぞれ伸延し、容量の異なる計量スプーンを着脱自在に挟持可能な横リブを有することを特徴とする請求項１または２に記載した計量スプーン付き粉体用容器。
【請求項４】
前記蓋体は、前記上部開放端をその全面にわたって覆う天板と、この天板の縁部に一体連結して前記周壁の上部開放端を取り囲む環状壁部と、この環状壁部の下端に弱化部を介して引きちぎり可能に連結し、前記周壁の外側壁部に離脱不能に適合して該蓋体の不正な開封を防止するバージンバンドを有することを特徴とする請求項１〜３のいずれか１に記載した計量スプーン付き粉体用容器。
【発明の詳細な説明】
【技術分野】
【０００１】
本発明は、粉末の洗濯洗剤や食洗機洗浄剤等を入れるのに用いられる計量スプーン付き粉体用容器に関するものである。
【背景技術】
【０００２】
洗濯洗剤等のような粉体を内容物としている粉体用容器には、該内容物を適量取り出すことができるように計量スプーンが備えられている。
【０００３】
この計量スプーンは、商品の流通段階では、容器の蓋体に設けられたボス等の取付部に組み付けられているが、該スプーンを取り外した後には、該取付部に再度組み付けることができないものも多く、該計量スプーンは粉体の上にそのまま置いておくのが普通である。
【０００４】
しかしながら、このような使用形態では、計量スプーンに水分に付着している場合に粉体の固化を招くことがあり、また、計量スプーンの柄部に粉体が付着するのが避けられないことから粉体の計量時に手を汚してしまう等の不具合がある。
【０００５】
かかる不具合を解消するものとして例えば、特許文献１には、容器本体の上部に水平状態で支持した計量スプーンと、容器本体に着脱可能に嵌合させた蓋体とを備えた容器につき、計量スプーンの係合手段として、容器本体の上端部と、計量スプーンの柄の先端部とに、一方が他方を挟持する如き挟持部と被挟持部とを設けた計量スプーン付き容器が提案されている。
【先行技術文献】
【特許文献】
【０００６】
【特許文献１】特開２００７─９９２９４号公報
【発明の概要】
【発明が解決しようとする課題】
【０００７】
上記文献に開示された計量スプーン付き容器によれば、付設した計量スプーンが収納物である粉体内に潜り込むことがなく、しかも、容器の開封後の使用途中の取り扱いも容易で、使用者の手を汚す等の不都合を極力防止できる利点があるとされていた。ところで、ここに開示された計量スプーンは、片持ち状態で容器本体の上端部に支持されており、容器の取扱い状況によってはその姿勢が不安定になることがあること、また、該計量スプーンは、計量容量が一種に限定された単一の計量スプーンであって、例えば、洗濯洗剤につき、洗濯物の量が増減する等、粉体の容量を変更して計量したい場合には目分量で計量する煩わしい作業が必要となり使い勝手がよいとはいえないものであり、この点に関して改善の余地が残されていた。
【０００８】
本発明の課題は、構造の複雑化を伴うことなしに計量スプーンを安定的に保持することができ、かつ、容量の異なる計量スプーンを少なくとも二つ備え付けておくことができる使い勝手の改善された計量スプーン付き粉体用容器を提案するところにある。
【課題を解決するための手段】
【０００９】
本発明は、底壁部を有し、この底壁部の縁部において起立する周壁にてその内側に粉体の収納空間を形成する容器本体と、前記周壁の上部開放端に着脱自在に合わさって前記収納空間を密封状態に保持する蓋体と、前記収納空間内の粉体の計量に供する計量スプーンとを備えた粉体用容器であって、前記周壁の上部開放端近傍域の内周壁部に、前記計量スプーンの少なくとも先端部及び後端部にそれぞれ着脱自在に嵌合して該計量スプーンを前記収納空間の上部において支持する受け部を設けたことを特徴とする計量スプーン付き粉体用容器である。
【００１０】
上記の構成からなる粉体用容器において、前記受け部は、収納空間を跨ぐ対向位置にそれぞれ設けられた二つの凹部にて形成されたものであり、該凹部は、相互間距離が変更され、容量の異なる少なくとも二種の計量スプーンの支持を可能とする複数組の段下がりの多段配列になるものを適用するのが好ましい。
【００１１】
また、前記蓋体は、その下側面に、少なくとも二方向に向けてそれぞれ伸延し、容量の異なる計量スプーンを着脱自在に挟持可能なリブを有するものとするのが望ましい。
【００１２】
さらに、前記蓋体は、前記上部開放端をその全面にわたって覆う天板と、この天板の縁部に一体連結して前記容器本体の上部開放端を取り囲む環状壁部と、この環状壁部の下端に弱化部を介して引きちぎり可能に連結し、前記周壁の外側壁部に離脱不能に適合して該蓋体の不正な開封を防止するバージンバンドを有するものを適用することができる。
【発明の効果】
【００１３】
上記の構成からなる本発明の粉体用容器によれば、周壁の上部開放端近傍域の内側壁部に、計量スプーンの少なくとも先端部及び後端部にそれぞれ着脱自在に嵌合して該計量スプーンを収納空間の上部において支持する受け部を設けるようにしたため、構造の複雑化を伴うことなしに計量スプーンを簡便に着脱することができる。しかも、計量スプーンは、少なくとも二カ所で支持されることになるので取り付け姿勢が安定化する。
【００１４】
また、本発明の粉体用容器によれば、受け部を、収納空間を跨ぐ対向位置にそれぞれ設けられた二つで一組になる凹部（溝部）にて構成したため、周壁の内側壁部に加工を加えるだけでよく、余計な部材を設ける必要はない。また、該凹部を、相互間距離が変更された複数組の段下がりの多段配列よりなるものとしたため、容量の異なる計量スプーンを重ね合わせ状態で同時に支持しておくことが可能となる。
【００１５】
また、本発明の粉体容器によれば、蓋体の下側面に、少なくとも二方向に向けてそれぞれ伸延し、容量の異なる計量スプーンを着脱自在に挟持可能な横リブを設けるようにしたため、一方の横リブに例えば容量が大きい計量スプーンを装着し、もう一方に容量が小さい計量スプーンを装着することが可能となる。
【００１６】
さらに、上記の構成からなる本発明の粉体用容器によれば、蓋体を、上部開放端をその全面にわたって覆う天板と、この天板の縁部に一体連結して容器本体の上部開放端を取り囲む環状壁部とで構成し、この環状壁部の下端に弱化部を介して引きちぎり可能に連結するとともに周壁の外側壁部に離脱不能に適合するバージンバンドを設けるようにしたため、容器の不正な開封を確実に防止することができる。
【図面の簡単な説明】
【００１７】
【図１】本発明に従う粉体用容器の正面を示した図である。
【図２】図１の側面を示した図である。
【図３】図１の平面を示した図である。
【図４】図１に示した粉体用容器の正面側の外観斜視図である。
【図５】図１に示した粉体用容器の背面側の外観斜視図である。
【図６】図１に示した粉体用容器につき、その蓋体を開けた状態を示した外観斜視図である。
【図７】図１に示した粉体用容器の容器本体の平面を示した図である。
【図８】図１に示した粉体用容器において計量スプーンを容器本体に装着した例を示した図である。
【図９】図１に示した粉体用容器の使用例を示した図である。
【図１０】本発明に従う粉体用容器に容量の異なる計量スプーンを装着した他の例を示した図である。
【図１１】図１０に示した粉体用容器の開封状態において、計量スプーンを容器本体側に装着した例を示した図である。
【図１２】図１０に示した粉体用容器の容器本体の平面を示した図である。
【発明を実施するための形態】
【００１８】
以下、本発明を図面を用いてより具体的に説明する。
図１〜３は、本発明に従う粉体用容器の正面図、側面図および平面図である。また、図４は、図１に示した粉体用容器の正面側の外観斜視図であり、図５は、図４に示した粉体用容器の背面側の外観斜視図である。また、図６は、図１に示した粉体用容器につき、その蓋体を開けた状態（開封状態）を示した外観斜視図であり、図７は、容器本体の平面を示した図（容器本体のみを表示）である。なお、本発明に従う粉体用容器は、計量スプーンを含め、全ての構成部材が合成樹脂にて成形される。
【００１９】
図１〜図７における符号１は、容器本体である。この容器本体１は、一対の湾曲短辺とこの湾曲短辺につながる一対の湾曲長辺にて区画された板状の底壁部１ａ（図７参照）を有し、この底壁部１ａの縁部において起立する周壁１ｂから構成されるものであって、その内側には、粉体の収納空間Ｍ（図６、図７参照）が形成されている。
【００２０】
容器本体１の周壁１ｂは、その上端に、径方向外方へ向けて延出するフランジ１ｂ１と、このフランジ１ｂ１に一体連結してその部位から立ち上がる環状帯１ｂ２が設けられており（図６参照）、該環状帯１ｂ２によって周壁１ｂの上部開放端を形成している。上記フランジ１ｂ１は、周壁１ｂの内側壁部を一部分を構成していて、その壁面は水平でもよいし、傾斜がついていてもよい。
【００２１】
また、２は、周壁１ｂの上部開放端に着脱自在に合わさって収納空間Ｍを密封する蓋体である。
【００２２】
蓋体２は、上部開放端をその全面にわたって覆う天板２ａと、この天板２ａの縁部に一体連結して前記周壁１ｂの環状帯１ｂ１を取り囲む環状壁部２ｂと、この環状壁部２ｂの前面側に設けられ、周壁１ｂの外周壁に形成された横リブ状の凸部１ｂ３に離脱可能に連係する係止片２ｃからなる。蓋体２の天板２ａの下側面（裏面）には、後述する計量スプーンを着脱自在に挟み込んで保持する横リブ２ｄが設けられている。容器の開封前（製品の流通段階）においては、この横リブ２ｄによって計量スプーンが保持されている（図６参照）。
【００２３】
蓋体２は、この例では、その背面側にブラケット（受け部）２ｅを設けて、容器本体１の周壁１ｂの背面部に形成した枢軸１ｃを差し込むことによりそれらを相互に連係し、そこを起点に蓋体２を揺動可能に支持するヒンジタイプのものを示したが、該蓋体２は、容器本体１から完全に取り外して離脱させることができるものを適用することも可能であり、この点については限定されない。
【００２４】
横リブ２ｄについては、蓋体２の一方の角部Ｋから対向するもう一方の角部Ｋ１に向けて延びる横リブ２ｄ１（中央部は分断されている、図６参照）と、角部Ｋ２乃至Ｋ３において該横リブ２ｄ１に交差する向きに延びる横リブ２ｄ２（中央部は分断されている、図６参照）とによって構成することができ、該横リブのうちのいずれか一方の横リブの間隔を拡大あるいは縮小して計量スプーンの把持部の幅寸法に合わせておくことにより、容量の異なる計量スプーンの取り付けが可能となる。なお、容量の異なる計量スプーンをそれぞれ個別に取り付ける場合、横リブ２ｄの高さは同じでもよいが、同時に取り付ける場合には、横リブ横リブ２ｄ１、２ｄ２のうちのいずれか一方のリブの高さを高くすることにより対応する。
【００２５】
また、３は、環状壁部２ｂの下端に薄肉片、ミシン目等の間欠的な孔部を連ねて構成された弱化部Ｐを介して引きちぎり可能に連結し、かつ、周壁１ｂの外側壁部（環状帯１ｂ２）の周りに沿って形成された凸部ｔに離脱不能に適合するバージンバンドである。
【００２６】
このバージンバンド３の裏面には、図示はしないが周壁１ｂの環状帯１ｂ２の周りに沿って形成された横長の凸部ｔに適合する横長の凸部が設けられており、該凸部が該環状帯１ｂ２に形成された凸部ｔに適合（乗り越え不能に引っ掛かっている状態）している状態では、蓋体２を開放することはできず、これにより不正な開封を防止することができるが、容器を開封すべく、弱化部Ｐを起点にしてバージンバンド３を引きちぎることにより蓋体２の開閉が可能となる。
【００２７】
ここに、上記バージンバンド３は、蓋体２と容器本体１とを揺動可能に連結するヒンジ部において切り離された分断部を有するＣ字状断面をなすものを例として示したが（図５参照）、該バージンバンド３は、環状のものを適用することもできる。
【００２８】
また、４は、蓋体２の横リブ２ｄ（２ｄ１）に装着した例で示した計量スプーンである。この計量スプーン４は、粉体を掬って計量する計量部４ａと、この計量部４ａに連結する把持部４ｂから構成されている。
【００２９】
５は、周壁１ｂの内側壁部の一部分を構成するフランジ１ｂ１に設けられ、計量スプーン４を図８に示すように装着しておくことができる受け部である。この受け部５は、計量スプーン４の少なくとも先端部（計量部４ａの先端部）および後端部（把持部４ｂの後端部）にそれぞれ着脱自在に嵌合して該計量スプーン４を収納空間Ｍの上部において支持するものであり、収納空間Ｍを跨ぐ対向位置にそれぞれ設けられた凹部５ａ、５ｂからなる。
【００３０】
この凹部５ａ、５ｂは、二つで一組になり、フランジ１ｂ１の角部において相互に交差するように二方向に向けて設けることができる（図７参照）。これにより、図９に示す如く、左利き、右利きの人が使用するに係らずいずれの方向においても計量スプーン４を簡単に着脱することが可能となり、利便性が図られる。
【００３１】
凹部５ａ、５ｂからなる受け部５にて計量スプーン４を保持しておくことにより、該計量スプーン４は粉体に触れることがないため、計量スプーン４の把持部４ｂに粉体が付着せず、計量時に手を汚すようなことない。
【００３２】
容器の開封前（製品の流通段階）においては蓋体２の横リブ２ｄに計量スプーン４を取り付けておき、容器の開封後（使用状態）においては、受け部５の凹部５ａ、５ｂに計量スプーン４を取り付けておくことにより使い勝手の改善を図ることができるが、初めから受け部５の凹部５ａ、５ｂに計量スプーン４を配置しておいてもよくこの点についてはとくに限定されない。
【００３３】
容量の異なる計量スプーンとして例えば、サイズの小さい計量スプーンを支持可能とするため、該凹部５ａ、５ｂの内側位置には、相互間距離を短縮した段下がり配列になるもう一組の凹部５ｃ、５ｄを設けることができる。
【００３４】
この実施の形態では、受け部５を構成する凹部として、凹部５ａ及び凹部５ｃと、凹部５ｂ及び凹部５ｄを内向き段下がりの二段配列にして容量の異なる二種の計量スプーンを支持できる構造のものについて示したが、該凹部は、必要に応じて複数個設けた多段配列とすることも可能であり、二種の計量スプーンを取り付け可能とする場合に限定されない。受け部５を段下がりの多段配列とすることにより容量の異なる計量スプーンを重ね合わせ状態で同時に取り付けておくことができる。
【００３５】
図１０〜図１２は、本発明に従う粉体用容器について、上記計量スプーン４とは異なるサイズ（小）の計量スプーン６を装着した他の例を示したものである。
【００３６】
横リブ２ｄ２は、計量スプーン６のサイズに適合する間隔に設定されており、例えば、容器の開封前においては、図１０に示すように、蓋体２に設けられた横リブ２ｄ２によって保持しておき、容器の開封後においては、図１１、図１２に示すように、その先端部、後端部をそれぞれ受け部５の凹部５ｃ、５ｄに嵌合させておくことができる。該凹部５ｃ、５ｄに嵌合させることで計量スプーン６は、計量スプーン４と同様に容器本体１に簡便かつ安定的に保持されることになる。
【００３７】
本発明に従う粉体用容器は、容器本体１の上部空間を計量スプーン４、６の収納空間とするものであり、容量の異なる計量スプーンをそれぞれ個別に取り付けておく場合、あるいは同時に取り付けておく場合においても、該収納空間に配置することが可能で、新たにスペースを設ける必要がない。
【００３８】
上掲図１〜９に示したところの計量スプーン４と、上掲図１０〜１２に示したところの計量スプーン６とを同時に取り付けておく場合、一方の計量スプーンを蓋体２の横リブ２ｄに、もう一方の計量スプーンを容器本体１の受け部５に取り付けておくのが好ましいが（製品の流通時等）、受け部５の凹部５ａ、５ｂと凹部５ｃ、５ｄについては段下がり配列になるため、それらの計量スプーン４、６を受け部５に同時に取り付けておくこともできる。この場合、計量スプーン４、６は、同一方向に向けて重ね合わせ状態で配置してもよいし、クロス状態で配置してもよい。
【００３９】
とくに、容量の異なる計量スプーン４、６を同時に取り付けておく場合においては、使用頻度の低い計量スプーンを蓋体２に取り付けておき、使用頻度の高い計量スプーンを容器本体１の受け部５に取り付けておくことにより、使い勝手が著しく改善される。
【００４０】
なお、この種の容器にあっては、容器そのものをそのまま利用し異なる種類の粉体を入れて別の製品とする要望もあり、この場合には、従来の容器（一つの計量スプーンを備えた容器）にあっては、計量容量の異なる別の計量スプーンに付替えなければならない場合もあり、そのために計量スプーンの取り付け部等、細部における寸法変更は避けられないことがある。しかし、本発明に従う容器は、容量の異なる計量スプーンを適宜付替えが可能なので他の製品の容器への転用が容易となる。
【産業上の利用可能性】
【００４１】
本発明によれば、容器構造の複雑化を伴うことなしに計量スプーンを簡単かつ安定的に保持することができる。
【００４２】
また、本発明によれば、新たなパーツを設けることなしに容量の異なる計量スプーンを二つ以上装着することできるので、使い勝手がよい。
【符号の説明】
【００４３】
１      容器本体
１ａ    底壁部
１ｂ    周壁
１ｃ    枢軸
２      蓋体
２ａ    天板
２ｂ    環状壁部
２ｃ    係止片
２ｄ    リブ
２ｅ    ブラケット
３      バージンバンド
４      計量スプーン
４ａ    計量部
４ｂ    把持部
５      受け部
５ａ    凹部
５ｂ    凹部
５ｃ    凹部
５ｄ    凹部
６      計量スプーン
６ａ    計量部
６ｂ    把持部
Ｍ      収納空間
ｔ      凸部
【図１】
2014091528.tif 000003
【図２】
2014091528.tif 000004
【図３】
2014091528.tif 000005
【図４】
2014091528.tif 000006
【図５】
2014091528.tif 000007
【図６】
2014091528.tif 000008
【図７】
2014091528.tif 000009
【図８】
2014091528.tif 000010
【図９】
2014091528.tif 000011
【図１０】
2014091528.tif 000012
【図１１】
2014091528.tif 000013
【図１２】
2014091528.tif 000014